(57)【要約】【課題】ジャックをバランス用とアンバランス用とで兼用した場合に、アンバランス用のプラグが挿入されたことを検出可能とすること。【解決手段】ＤＡＰ１は、バランス用のプラグ、又は、反転の２つのチャンネルの接点の間に抵抗Ｒ１０１が接続されたアンバランス用のプラグ１０１が挿入される、ジャック７と、反転のＲチャンネルの電圧と、所定の閾値と、を比較する比較器８と、ＳｏＣ２と、を備える。ＳｏＣ２は、反転のＬチャンネルに所定の電圧を印加する。ＳｏＣ２は、比較器８が、反転のＲチャンネルの電圧が、所定の閾値以上であることを検出した場合、アンバランス用のプラグ１０１がジャックに挿入されたと判断する。【選択図】図１
2018160712.tif 000002
【特許請求の範囲】
【請求項１】
バランス用のプラグ、又は、反転の２つのチャンネルの接点の間に抵抗が接続されたアンバランス用のプラグが挿入される、ジャックと、
反転の他方のチャンネルの電圧と、所定の閾値と、を比較する比較部と、
制御部と、を備え、
前記制御部は、
反転の一方のチャンネルに所定の電圧を印加し、
前記比較部が、他方のチャンネルの電圧が、所定の閾値以上であることを検出した場合、アンバランス用のプラグがジャックに挿入されたと判断することを特徴とする音楽再生装置。
【請求項２】
前記制御部は、前記比較部が、他方のチャンネルの電圧が、所定の閾値未満であることを検出した場合、バランス用のプラグがジャックに挿入されたと判断することを特徴とする請求項１に記載の音楽再生装置。
【請求項３】
左右２チャンネルのデジタル音声信号をアナログ音声信号にＤ／Ａ変換する第１Ｄ／Ａコンバーターと、
前記第１Ｄ／ＡコンバーターがＤ／Ａ変換した左右２チャンネルのアナログ音声信号を増幅する第１増幅回路と、
左右２チャンネルのデジタル音声信号を左右２チャンネルのアナログ音声信号にＤ／Ａ変換する第２Ｄ／Ａコンバーターと、
前記第２Ｄ／ＡコンバーターがＤ／Ａ変換した左右２チャンネルのアナログ音声信号を反転した左右２チャンネルの反転アナログ音声信号を増幅する第２増幅回路と、
をさらに備えることを特徴とする請求項１又は２に記載の音楽再生装置。
【請求項４】
前記制御部は、アンバランス用のジャックが挿入されたと判断した場合、前記第２Ｄ／Ａコンバーターと、前記第２増幅回路と、をオフとすることを特徴とする請求項３に記載の音楽再生装置。
【請求項５】
前記第１増幅回路は、
左チャンネルのアナログ音声信号を増幅する第１増幅器と、
右チャンネルのアナログ音声信号を増幅する第２増幅器と、を有し、
前記第２増幅回路は、
左チャンネルの反転アナログ音声信号を増幅する第３増幅器と、
右チャンネルの反転アナログ音声信号を増幅する第４増幅器と、を有し、
前記第１増幅器は、前記ジャックの非反転の左チャンネル用の接点に接続され、
前記第２増幅器は、前記ジャックの非反転の右チャンネル用の接点に接続され、
前記第３増幅器は、前記ジャックの反転の左チャンネル用の接点に接続され、
前記第４増幅器は、前記ジャックの反転の右チャンネル用の接点に接続されていることを特徴とする請求項３又は４項に記載の音楽再生装置。
【請求項６】
前記制御部は、反転の一方のチャンネルに所定の電圧を印加する場合、所定の電圧を印加しない反転の他方のチャンネルを０Ｖに固定することを特徴とする請求項１〜５のいずれか１項に記載の音楽再生装置。
【請求項７】
前記制御部は、反転の一方のチャンネルに所定の電圧を印加する場合、所定の電圧を印加しない反転用の増幅回路をミュートすることを特徴とする請求項３〜５のいずれか１項に記載の音楽再生装置。
【請求項８】
５極の接点を備えるアンバランス用のプラグであって、
前記５極の接点は、バランス用のプラグと同じ接点配置であり、
バランス用のプラグにおける、反転の左チャンネル用の接点と、反転の右チャンネル用の接点と、の間に抵抗が接続されていることを特徴とするプラグ。
【請求項９】
請求項８に記載のプラグを備えるアンバランス用のヘッドホン。
【請求項１０】
アンバランス用のプラグに接続されるアダプタであって、
５極の接点を備え、
前記５極の接点は、バランス用のプラグと同じ接点配置であり、
バランス用のプラグにおける、反転の左チャンネル用の接点と、反転の右チャンネル用の接点と、の間に抵抗が接続され、
前記アンバランス用のプラグが接続された場合、
非反転の左チャンネル用の接点が、前記アンバランス用のプラグの左チャンネルの接点に接触し、
非反転の右チャンネル用の接点が、前記アンバランス用のプラグの右チャンネルの接点に接触することを特徴とするアダプタ。
【発明の詳細な説明】
【技術分野】
【０００１】
本発明は、バランス出力とアンバランス出力とを有する音楽再生装置、プラグ、ヘッドホン、及び、アダプタに関する。
【背景技術】
【０００２】
図４は、バランス出力用の直径４．４ｍｍの５極プラグを示す図である。図３に示すように、プラグの先端から、非反転のＬチャンネル（Ｌ＋）、反転のＬチャンネル（Ｌ−）、非反転のＲチャンネル（Ｒ＋）、反転のＲチャンネル（Ｒ−）、グラウンド（ＧＮＤ）となっている。５極プラグには、グラウンド（ＧＮＤ）があるため、非反転のＬチャンネル（Ｌ＋）とグラウンド（ＧＮＤ）、非反転のＲチャンネル（Ｒ＋）とグラウンド（ＧＮＤ）を用いて、アンバランス出力可能である。バランス出力とアンバランス出力とを有する音楽再生装置では、バランス用のジャックとアンバランス用のジャックが別々に設けられているが（例えば、特許文献１参照。）、同時に、バランス用のジャックとアンバランス用のジャックとにプラグが挿入されるという問題がある。また、バランス用のジャックとアンバランス用のジャックが別々であると、そのスペースが必要となる。そこで、ジャックは、信頼性が高い４．４ｍｍジャックのみを搭載し、このジャックで、バランス用とアンバランス用とを兼用することが考えられる。なお、４．４ｍｍのアンバランス用のプラグは、現在、存在しないため、アンバランス用のプラグに変換するアダプタが必要となる。
【０００３】
出願人は、特願２０１５−１７１９４５号を出願している。この特許出願に係る発明は、２つのＤ／Ａコンバーターと、２つの増幅回路と、を搭載している。一方のＤ／Ａコンバーター（以下、「ＤＡＣ」という。）は、非反転の音声信号用であり、デジタル音声信号をアナログ音声信号にＤ／Ａ変換する。他方のＤＡＣは、反転の音声信号用であり、デジタル音声信号をアナログ音声信号にＤ／Ａ変換する。一方の増幅回路は、一方のＤＡＣがＤ／Ａ変換した、非反転のアナログ信号を増幅する。他方の増幅回路は、他方のＤＡＣがＤ／Ａ変換した非反転のアナログ音声信号を反転した反転のアナログ音声信号を増幅する。アンバランス出力の場合、他方のＤＡＣと、他方の増幅回路と、をオフとして消費電力を削減している。
【先行技術文献】
【特許文献】
【０００４】
【特許文献１】特開２０１３−００５２９１号公報
【発明の概要】
【発明が解決しようとする課題】
【０００５】
しかしながら、ジャックをバランス用とアンバランス用とで兼用した場合、ＤＡＣ、増幅回路をオフとするためには、アンバランス用のプラグが挿入されたことを検出する必要がある。
【０００６】
本発明の目的は、ジャックをバランス用とアンバランス用とで兼用した場合に、アンバランス用のプラグが挿入されたことを検出可能とすることである。
【課題を解決するための手段】
【０００７】
第１の発明の音楽再生装置は、バランス用のプラグ、又は、反転の２つのチャンネルの接点の間に抵抗が接続されたアンバランス用のプラグが挿入される、ジャックと、反転の他方のチャンネルの電圧と、所定の閾値と、を比較する比較部と、制御部と、を備え、前記制御部は、反転の一方のチャンネルに所定の電圧を印加し、前記比較部が、他方のチャンネルの電圧が、所定の閾値以上であることを検出した場合、アンバランス用のプラグがジャックに挿入されたと判断することを特徴とする。
【０００８】
本発明では、制御部は、反転の一方のチャンネルに所定の電圧を印加する。ここで、ジャックに、反転の２つのチャンネルの接点の間に抵抗が接続されたアンバランス用のプラグが挿入されている場合、反転の他方のチャンネルに電圧が生じる。このため、比較部は、他方のチャンネルの電圧が、所定の閾値以上であることを検出することができる。制御部は、比較部が、他方のチャンネルの電圧が、所定の閾値以上であることを検出した場合、アンバランス用のプラグがジャックに挿入されたと判断する。このように、本発明によれば、ジャックをバランス用とアンバランス用とで兼用した場合であっても、アンバランス用のプラグが挿入されたことを検出することができる。
【０００９】
第２の発明の音楽再生装置は、第１の発明の音楽再生装置において、前記制御部は、前記比較部が、他方のチャンネルの電圧が、所定の閾値未満であることを検出した場合、バランス用のプラグがジャックに挿入されたと判断することを特徴とする。
【００１０】
ジャックに、バランス用のプラグが挿入されている場合、反転の一方のチャンネルに電圧が印加されても、反転の他方のチャンネルには、電圧が生じない。このため、比較器は、他方のチャンネルの電圧が、所定の閾値未満であることを検出することができる。制御部は、比較部が、他方のチャンネルの電圧が、所定の閾値未満であることを検出した場合、バランス用のプラグがジャックに挿入されたと判断する。このように、本発明によれば、ジャックをバランス用とアンバランス用とで兼用した場合であっても、バランス用のプラグが挿入されたことを検出することができる。
【００１１】
第３の発明の音楽再生装置は、第１又は第２の発明の音楽再生装置において、左右２チャンネルのデジタル音声信号をアナログ音声信号にＤ／Ａ変換する第１Ｄ／Ａコンバーターと、前記第１Ｄ／ＡコンバーターがＤ／Ａ変換した左右２チャンネルのアナログ音声信号を増幅する第１増幅回路と、左右２チャンネルのデジタル音声信号を左右２チャンネルのアナログ音声信号にＤ／Ａ変換する第２Ｄ／Ａコンバーターと、前記第２Ｄ／ＡコンバーターがＤ／Ａ変換した左右２チャンネルのアナログ音声信号を反転した左右２チャンネルの反転アナログ音声信号を増幅する第２増幅回路と、をさらに備えることを特徴とする。
【００１２】
第４の発明の音楽再生装置は、第３の発明の音楽再生装置において、前記制御部は、アンバランス用のジャックが挿入されたと判断した場合、前記第２Ｄ／Ａコンバーターと、前記第２増幅回路と、をオフとすることを特徴とする。
【００１３】
本発明では、制御部は、アンバランス用のジャックが挿入されたと判断した場合、第２Ｄ／Ａコンバーターと、第２増幅回路と、をオフとする。これにより、無駄な消費電力を削減することができる。
【００１４】
第５の発明の音楽再生装置は、第３又は第４の発明の音楽再生装置において、前記第１増幅回路は、左チャンネルのアナログ音声信号を増幅する第１増幅器と、右チャンネルのアナログ音声信号を増幅する第２増幅器と、を有し、前記第２増幅回路は、左チャンネルの反転アナログ音声信号を増幅する第３増幅器と、右チャンネルの反転アナログ音声信号を増幅する第４増幅器と、を有し、前記第１増幅器は、前記ジャックの非反転の左チャンネル用の接点に接続され、前記第２増幅器は、前記ジャックの非反転の右チャンネル用の接点に接続され、前記第３増幅器は、前記ジャックの反転の左チャンネル用の接点に接続され、前記第４増幅器は、前記ジャックの反転の右チャンネル用の接点に接続されていることを特徴とする。
【００１５】
第６の発明の音楽再生装置は、第１〜第５のいずれかの発明の音楽再生装置において、前記制御部は、反転の一方のチャンネルに所定の電圧を印加する場合、所定の電圧を印加しない反転の他方のチャンネルを０Ｖに固定することを特徴とする。
【００１６】
第７の発明の音楽再生装置は、第３〜第５のいずれかの発明の音楽再生装置において、前記制御部は、反転の一方のチャンネルに所定の電圧を印加する場合、所定の電圧を印加しない反転用の増幅回路をミュートすることを特徴とする。
【００１７】
第８の発明のプラグは、５極の接点を備えるアンバランス用のプラグであって、前記５極の接点は、バランス用のプラグと同じ接点配置であり、バランス用のプラグにおける、反転の左チャンネル用の接点と、反転の右チャンネル用の接点と、の間に抵抗が接続されていることを特徴とする。
【００１８】
第９の発明のヘッドホンは、第８の発明のプラグを備える。なお、ヘッドホンは、イヤホンを含む概念である。
【００１９】
第１０の発明のアダプタは、アンバランス用のプラグに接続されるアダプタであって、５極の接点を備え、前記５極の接点は、バランス用のプラグと同じ接点配置であり、バランス用のプラグにおける、反転の左チャンネル用の接点と、反転の右チャンネル用の接点と、の間に抵抗が接続され、前記アンバランス用のプラグが接続された場合、非反転の左チャンネル用の接点が、前記アンバランス用のプラグの左チャンネルの接点に接触し、非反転の右チャンネル用の接点が、前記アンバランス用のプラグの右チャンネルの接点に接触することを特徴とする。
【発明の効果】
【００２０】
本発明によれば、ジャックをバランス用とアンバランス用とで兼用した場合であっても、アンバランス用のプラグが挿入されたことを検出することができる。
【図面の簡単な説明】
【００２１】
【図１】本発明の実施形態に係るデジタルオーディオプレーヤーの構成を示すブロック図である。
【図２】ジャックにアンバランス用のプラグが挿入されている状態を示す図である。
【図３】変形例に係るデジタルオーディオプレーヤーの構成を示すブロック図である。
【図４】バランス出力用の直径４．４ｍｍの５極プラグを示す図である。
【発明を実施するための形態】
【００２２】
以下、本発明の実施形態について説明する。図１は、本発明の実施形態に係るデジタルオーディオプレーヤー（以下、「ＤＡＰ」という。）の構成を示すブロック図である。ＤＡＰ１（音楽再生装置）は、ＳｏＣ（System on Chip）２、Ｄ／Ａコンバーター（以下、「ＤＡＣ」という。）３、４、増幅回路５、６、ジャック７、比較器８を備えている。ＳｏＣ２（制御部）は、ＣＰＵ（Central Processing Unit）、ＤＳＰ（Digital Signal Processor）、メモリ等を有し、ＤＡＰ１を構成する各部を制御する。
【００２３】
ポジティブ側（非反転信号用）のＤＡＣ３には、ＳｏＣ２から、Ｉ２Ｓ形式のＬＲ（左右）２チャンネルのデジタルオーディオデータ（デジタル音声信号）が入力される。ＤＡＣ３は、ＬＲ２チャンネルのデジタルオーディオデータを、ＬＲ２チャンネルのアナログオーディオデータ（アナログ音声信号）にＤ／Ａ変換する。ポジティブ側の増幅回路５（第１増幅回路）には、ＤＡＣ３がＤ／Ａ変換したＬＲ２チャンネルのアナログオーディオデータが入力される。増幅回路４は、ＬＲ２チャンネルのアナログオーディオデータを増幅する。
【００２４】
具体的には、増幅回路４は、増幅器９、１０を有する。増幅器９（第１増幅器）は、Ｌチャンネルのアナログオーディオデータを増幅する。増幅器９は、抵抗Ｒ１を介して、ジャック７の非反転のＬチャンネル用の接点（Ｌ＋）に接続されている。従って、ジャック７の非反転のＬチャンネル用の接点には、Ｌチャンネルのアナログオーディオデータが出力される。増幅器１０（第２増幅器）は、Ｒチャンネルのアナログオーディオデータを増幅する。増幅器１０は、抵抗Ｒ２を介して、ジャック７の非反転のＲチャンネル用の接点（Ｒ＋）に接続されている。従って、ジャック７の非反転のＲチャンネル用の接点には、Ｒチャンネルのアナログオーディオデータが出力される。
【００２５】
ネガティブ側（反転信号用）のＤＡＣ４には、ＳｏＣ２から、Ｉ２Ｓ形式のＬＲ２チャンネルのデジタルオーディオデータが入力される。ＤＡＣ３は、ＬＲ２チャンネルのデジタルオーディオデータを、ＬＲ２チャンネルのアナログオーディオデータにＤ／Ａ変換する。ネガティブ側の増幅回路６（第２増幅回路）には、ＤＡＣ４がＤ／Ａ変換したＬＲ２チャンネルのアナログオーディオデータを反転したＬＲ２チャンネルの反転アナログオーディオデータが入力される。増幅回路６は、ＬＲ２チャンネルの反転アナログオーディオデータを増幅する。
【００２６】
具体的には、増幅回路６は、増幅器１１、１２を有する。増幅器１１（第３増幅器）は、Ｌチャンネルの反転アナログオーディオデータを増幅する。増幅器１１は、抵抗Ｒ３を介して、ジャック７の反転のＬチャンネル用の接点に接続されている。従って、ジャック７の反転のＬチャンネル用の接点には、Ｌチャンネルの反転アナログオーディオデータが出力される。増幅器１２（第４増幅器）は、Ｒチャンネルの反転アナログオーディオデータを増幅する。増幅器１２は、抵抗Ｒ４を介して、ジャック７の反転のＲチャンネル用の接点に接続されている。従って、ジャック７の反転のＲチャンネル用の接点には、Ｒチャンネルの反転アナログオーディオデータが出力される。
【００２７】
ここで、図示しないリニアレギュレーターは、ＤＡＣ３、４と増幅回路５、６とに電源電圧を供給する。アンバランス出力の場合、ＳｏＣ２は、ＤＡＣ４と増幅回路６とにあるパワーダウンピンを制御することで、ＤＡＣ４と増幅回路６とをオフとする。
【００２８】
ジャック７は、５極の接点を有する。５極の接点は、先頭から、非反転のＬチャンネル用（Ｌ＋）、反転のＬチャンネル用（Ｌ−）、非反転のＲチャンネル用（Ｒ＋）、反転のＲチャンネル用（Ｒ−）、グラウンド用（ＧＮＤ）である。ジャック７には、バランス用のプラグ、又は、アンバランス用のプラグ１０１が挿入される。アンバランス用のプラグ１０１は、例えば、３．５ｍｍのアンバランス用のプラグにアダプタが接続されていてもよいし、アンバランス用のヘッドホンに接続されているプラグであってもよい。
【００２９】
アンバランス用のプラグ１０１は、図４に示すバランス用のヘッドホンと同じ接点配置である。アンバランス用のプラグは、バランス用のプラグにおける、反転のＬチャンネル用の接点（Ｌ−）と、反転のＲチャンネル用の接点（Ｒ−）と、の間に、抵抗Ｒ１０１が接続されている。
【００３０】
比較器８（比較部）は、反転のＲチャンネルの電圧と、所定の閾値（０．０１Ｖ）と、を比較する。比較器８は、反転のＲチャンネルの電圧が、所定の閾値（０．０１Ｖ）以上である場合、出力端子の電位をハイとし、反転のＲチャンネルの電圧が、所定の閾値以上であることを検出する。また、比較器８は、反転のＲチャンネルの電圧が、所定の閾値（０．０１Ｖ）未満である場合、出力端子の電位をローのままとし、反転のＲチャンネルの電圧が、所定の閾値未満であることを検出する。
【００３１】
比較器８の非反転入力端子（＋）は、抵抗Ｒ４とジャック７の反転のＲチャンネル用の接点（Ｒ−）との間に接続されている。比較器８の非反転入力端子（＋）には、反転のＲチャンネルに生じる電圧が入力される。比較器８の反転入力端子（−）は、抵抗Ｒ６、Ｒ７に接続されている。抵抗Ｒ６は、電源ＶＤＤ（１．８Ｖ）に接続されている。抵抗Ｒ７は、グラウンドに接続されている。比較器８の反転入力端子（−）には、０．０１Ｖが入力される。比較器８の出力端子は、ＳｏＣ２に接続されている。
【００３２】
ＤＡＰ１は、プラグの挿抜を検出するための検出接点１３を有する。検出接点１３は、抵抗Ｒ８を介して、電源ＶＤＤ（１．８Ｖ）に接続されている。ジャック７にプラグが挿入されていない場合、検出接点１３は、グラウンドに接続された絶縁接点１４に接触している。このため、抵抗Ｒ８と検出接点１３との間の電位は、ローである。この場合、ＳｏＣ２は、プラグが挿入されていないと判断する。ジャック７にプラグが挿入されている場合、検出接点１３は、絶縁接点１４から離れる。このため、抵抗Ｒ８と検出接点１３との間の電位は、ハイである。この場合、ＳｏＣ２は、プラグが挿入されていると判断する。
【００３３】
プラグが挿入された後、ＳｏＣ２は、挿入されたプラグが、バランス用のプラグであるか、アンバランス用のプラグ１０１であるか、を判断する。ＳｏＣ２は、ポジティブ側のＤＡＣ３をミュートする（ミュート：オン）。ＳｏＣ２は、ネガティブ側のＤＡＣ３をミュートしない（ミュート：オフ）。次に、ＳｏＣ２は、反転のＬチャンネルに所定の電圧（２Ｖ）を印加する。また、ＳｏＣ２は、反転のＲチャンネルを０Ｖに固定する。ここで、ＬチャンネルのＰＣＭデータとしては、負の値となる。また、どんな結線がされているかわからないため、急激な立ち上がりは避けて、数ｍｓｅｃといった時間をかけて、電圧を印加する。
【００３４】
バランス用のプラグが、ジャック７に挿入されている場合、反転のＲチャンネルに電圧は生じない。このため、比較器８の出力は、ローである。この場合、ＳｏＣ２は、ジャック７にバランス用のプラグが挿入されたと判断する。バランス出力とするため、ＳｏＣ２は、ＤＡＣ３、４と増幅回路５、６とをオンの状態とする。なお、バランス用のプラグが、ジャック７に挿入され、反転のＬチャンネルと反転のＲチャンネルとの間に、電圧が印加されても、バランス用のヘッドホンから音はほぼ出ない。
【００３５】
アンバランス用のプラグ１０１が、ジャック７に挿入されている場合、図２に示すように、ジャック７の反転のＬチャンネル用の接点と、反転のＲチャンネル用の接点と、の間に、抵抗Ｒ１０１が挿入された状態となる。ＳｏＣ２は、ポジティブ側のＤＡＣ４をミュートする（ミュート：オン）。ＳｏＣ２は、ネガティブ側のＤＡＣ３をミュートしない（ミュート：オフ）。次に、ＳｏＣ２は、反転のＬチャンネルに所定の電圧（２Ｖ）を印加する。また、ＳｏＣ２は、反転のＲチャンネルを０Ｖに固定する。この場合、反転のＲチャンネルに生じる電圧は、２×３．３／（２７＋３．３＋３．３）＝０．１９６（Ｖ）となる。
【００３６】
上述したように、反転のＲチャンネルには、所定の閾値（０．１Ｖ）以上の電圧が生じる。このため、比較器８の出力は、ハイである。この場合、ＳｏＣ２は、ジャック７にアンバランス用のプラグ１０１が挿入されたと判断する。アンバランス出力とするため、ＳｏＣ２は、ＤＡＣ３と増幅回路５とをオンの状態とし、ＤＡＣ４と増幅回路６とをオフとする。
【００３７】
以上説明したように、本実施形態では、ＳｏＣ２は、反転のＬチャンネルに所定の電圧を印加する。ここで、ジャック７に、反転の２つのチャンネルの接点の間に抵抗Ｒ１０１が接続されたアンバランス用のプラグ１０１が挿入されている場合、反転のＲチャンネルに電圧が生じる。このため、比較器８は、Ｒチャンネルの電圧が、所定の閾値以上であることを検出することができる。ＳｏＣ２は、比較器８が、Ｒチャンネルの電圧が、所定の閾値以上であることを検出した場合、アンバランス用のプラグ１０１がジャック７に挿入されたと判断する。このように、本実施形態によれば、ジャック７をバランス用とアンバランス用とで兼用した場合であっても、アンバランス用のプラグ１０１が挿入されたことを検出することができる。
【００３８】
また、ジャック７に、バランス用のプラグが挿入されている場合、反転のＬチャンネルに電圧が印加されても、反転のＲチャンネルには、電圧が生じない。このため、比較器８は、Ｒチャンネルの電圧が、所定の閾値未満であることを検出することができる。ＳｏＣ２は、比較器８が、Ｒチャンネルの電圧が、所定の閾値未満であることを検出した場合、バランス用のプラグがジャック７に挿入されたと判断する。このように、本実施形態によれば、ジャック７をバランス用とアンバランス用とで兼用した場合であっても、バランス用のプラグが挿入されたことを検出することができる。
【００３９】
また、本実施形態では、ＳｏＣ２は、アンバランス用のジャック７が挿入されたと判断した場合、ＤＡＣ４と、増幅回路６と、をオフとする。これにより、無駄な消費電力を削減することができる。
【００４０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４１】
上述の実施形態においては、ＳｏＣ２は、反転のＬチャンネルに所定の電圧を印加するようになっている。これに限らず、ＳｏＣ２は、反転のＲチャンネルに所定の電圧を印加するようになっていてもよい。この場合、比較器８は、反転のＬチャンネルの電圧と、所定の閾値とを比較する。また、ＳｏＣ２は、反転のＬチャンネルを０Ｖに固定する。又は、図３に示すように、増幅器１１と抵抗Ｒ３との間にスイッチＳＷ１を設け、スイッチＳＷ１をオフとし、反転のＬチャンネルの出力をハイインピーダンスとするようになっていてもよい。このようにすれば、Ｌチャンネル出力電圧がそのままＬチャンネルに現れるため、検出が非常に簡単になる。
【００４２】
上述の実施形態において説明した３．５ｍｍのアンバランス用のプラグにアダプタが接続される場合、アダプタは、以下の構成を有する。アダプタは、５極の接点を備える。５極の接点は、バランス用のプラグと同じ接点配置である。バランス用のプラグにおける、反転のＬチャンネル用の接点と、反転のＲチャンネル用の接点と、の間に抵抗が接続されている。アンバランス用のプラグがアダプタに接続された場合、非反転のＬチャンネル用の接点が、アンバランス用のプラグのＬチャンネルの接点に接触する。非反転のＲチャンネル用の接点が、アンバランス用のプラグのＲチャンネルの接点に接触する。
【００４３】
上述の実施形態においては、音楽再生装置として、ＤＡＰを例示した。これに限らず、タブレットＰＣ、スマートフォン（携帯電話機）、ヘッドホンアンプ、ＵＳＢ  ＤＡＣ等であってもよい。
【産業上の利用可能性】
【００４４】
本発明は、バランス出力とアンバランス出力とを有する音楽再生装置、プラグ、ヘッドホン、及び、アダプタに好適に採用され得る。
【符号の説明】
【００４５】
１  ＤＡＰ（音楽再生装置）
２  ＳｏＣ（制御部）
３  ＤＡＣ（第１Ｄ／Ａコンバーター）
４  ＤＡＣ（第２Ｄ／Ａコンバーター）
５  増幅回路（第１増幅回路）
６  増幅回路（第２増幅回路）
７  ジャック
１０１  アンバランス用のプラグ
【図１】
2018160712.tif 000003
【図２】
2018160712.tif 000004
【図３】
2018160712.tif 000005
【図４】
2018160712.tif 000006